(57)【要約】【課題】  ポート先に接続された印刷装置で文字化け等が発生しないようにした印刷制御システムを提供する。【解決手段】  印刷すべき印刷ジョブの属性の解析を行なうジョブ解析部１１０と、プリントスプーラからポート情報を取得して、このポート情報に基づいてポート先の印刷装置の設定情報を取得すると共に、上記印刷ジョブの属性に応じて、上記印刷装置の設定変更を行なう通信部１２０と、上記ポート情報のうち、当該印刷ジョブを出力可能なポート先を表示部に表示するユーザインタフェース部１３０と、上記印刷ジョブを上記印刷装置に送信する前に、上記印刷装置と当該印刷ジョブのチケッティング処理を行なうジョブ管理部１４０と、を設けて、印刷制御システム１０を構成する。【選択図】  図１
2006119764.tif 000002
【特許請求の範囲】
【請求項１】
印刷すべき印刷ジョブをポート先の印刷装置に送信して、印刷装置に印刷出力を行なわせる印刷制御システムにおいて、
印刷すべき印刷ジョブの属性の解析を行なうジョブ解析部と、
プリントスプーラからポート情報を取得して、このポート情報に基づいてポート先の印刷装置の設定情報を取得すると共に、上記印刷ジョブの属性に応じて、上記印刷装置の設定変更を行なう通信部と、
上記ポート情報のうち、当該印刷ジョブを出力可能なポート先を表示部に表示するユーザインタフェース部と、
上記印刷ジョブを上記印刷装置に送信する前に、上記印刷装置と当該印刷ジョブのチケッティング処理を行なうジョブ管理部と、を設けた
ことを特徴とする印刷制御システム。
【請求項２】
上記印刷ジョブを上記印刷装置に送信する前に、上記印刷装置と当該印刷ジョブのチケッティング処理を行なうジョブ管理部を設けた
ことを特徴とする請求項１に記載の印刷制御システム。
【請求項３】
上記ジョブ解析部が、印刷ジョブの属性としてページ記述言語の解析を行なうことを特徴とする請求項１または２に記載の印刷制御システム。
【請求項４】
上記ユーザインタフェース部が、出力可能なポート先の印刷装置のリストを表示部に表示する
ことを特徴とする請求項１〜３の何れかに記載の印刷制御システム。
【請求項５】
上記ジョブ管理部が、上記印刷装置から認証ＩＤを受け取って、この認証ＩＤと共に印刷ジョブを上記印刷装置に送信する
ことを特徴とする請求項２〜４の何れかに記載の印刷制御システム。
【請求項６】
上記通信部が、印刷装置による当該印刷ジョブの印刷出力完了後に、上記印刷装置の設定を変更前の状態に戻す
ことを特徴とする請求項１〜５の何れかに記載の印刷制御システム。
【請求項７】
印刷すべき印刷ジョブをポート先の印刷装置に送信して、印刷装置に印刷出力を行なわせる処理をコンピュータに実装させる印刷制御プログラムにおいて、
印刷すべき印刷ジョブの属性の解析を行ない、プリントスプーラからポート情報を取得して、このポート情報に基づいてポート先の印刷装置の設定情報を取得し、上記印刷ジョブの属性に応じて、上記印刷装置の設定変更を行なうと共に、上記ポート情報のうち、当該印刷ジョブを出力可能なポート先を表示部に表示する
ことを特徴とする印刷制御プログラム。
【発明の詳細な説明】
【技術分野】
【０００１】
本発明は、印刷ジョブを印刷装置により印刷出力させる印刷制御システム及び印刷制御プログラムに関する。
【背景技術】
【０００２】
近年、例えばＫＭ−ＮＥＴ  ｆｏｒ  Ｄｉｒｅｃｔ  ＰｒｉｎｔｉｎｇのようなＰＤＦファイルを直接印刷装置に送信したり、あるいはプリンタブルデータを印刷装置に送信して、印刷装置により印刷出力させるようにした、パーソナルコンピュータ等の情報処理装置で動作するユーティリティが存在する。
このようなユーティリティは、多くの場合、上記情報処理装置のＯＳに存在しているポートを使用して、印刷装置に対して印刷ジョブを送信するようになっている。
しかしながら、ポート先に接続された印刷装置が、当該印刷ジョブを印刷出力可能であるか否かは、実際に印刷ジョブを出力してみないと不明であり、当該印刷ジョブのページ記述言語が印刷装置でサポートされていない場合には、文字化け出力等が発生してしまい、正常な印刷を行なうことができないことがある。
【０００３】
このため、例えば特許文献１には、印刷データ（印刷ジョブ）のページ記述言語の判別を行なって、判別が成功した場合には、所定の印刷条件に従って印刷出力を行ない、また判別に失敗した場合には、エラー印刷条件に従って、印刷データに示される印刷内容を印刷出力するようにした印刷装置が開示されている。
これにより、文字化け等による印刷用紙の無駄を抑制して、印刷出力を行なうようにしている。
【０００４】
また、特許文献２には、複数のページ記述言語をサポートするために、複数のページ記述言語のエミュレーション機能を持つプリンタにおいて、プリンタ側で自動判別できないページ記述言語を使用した印刷ジョブの印刷出力を行なわせる場合、ユーザが当該ページ記述言語用のエミュレーションに切換えることにより、印刷条件を変更したとき、変更前のエミュレーションをメモリに保存しておき、当該印刷ジョブの印刷出力後に、変更前のエミュレーションに自動復帰させるようにした、エミュレーションの自動復帰方式が開示されている。
これにより、プリンタ側で自動判別できないページ記述言語を使用した印刷ジョブの印刷出力を行なうことができると共に、印刷出力後に変更前のエミュレーションに自動復帰するので、エミュレーションを切換え設定したユーザが変更前のエミュレーションに戻し忘れるようなことがなく、その後も正常に印刷出力を行なうことができる。
【特許文献１】特開２００３−１２７５０２号
【特許文献２】特開平１１−０８５４２４号
【発明の開示】
【発明が解決しようとする課題】
【０００５】
しかしながら、特許文献１による印刷装置においては、印刷ジョブのページ記述言語が判別できない場合には、エラー印刷条件に従って印刷データに示される印刷内容を印刷出力することにより、文字化けによる印刷用紙の無駄を抑制し、読める形態で印刷内容を印刷出力することができるが、所望の印刷出力を行なうことは困難である。
また、特許文献２によるエミュレーションの自動復帰方式においては、印刷ジョブのページ記述言語が判別できない場合には、ユーザによるエミュレーション切換えにより印刷出力を行なうことができるが、プリンタが印刷しようとする印刷ジョブのページ記述言語用のエミュレーション機能を備えていない場合には、当該印刷ジョブの印刷出力を行なうことができない。
【０００６】
本発明は、上記の問題を解決すべくなされたものであり、ポート先に接続された印刷装置で文字化け等が発生しないようにした印刷制御システムの提供を目的とする。
【課題を解決するための手段】
【０００７】
この目的を達成するため、本発明の請求項１記載の印刷制御システムは、印刷すべき印刷ジョブをポート先の印刷装置に送信して、印刷装置に印刷出力を行なわせる印刷制御システムにおいて、印刷すべき印刷ジョブの属性の解析を行なうジョブ解析部と、プリントスプーラからポート情報を取得して、このポート情報に基づいてポート先の印刷装置の設定情報を取得すると共に、上記印刷ジョブの属性に応じて、上記印刷装置の設定変更を行なう通信部と、上記ポート情報のうち、当該印刷ジョブを出力可能なポート先を表示部に表示するユーザインタフェース部と、を設けた構成としてある。
【０００８】
印刷制御システムをこのような構成とすると、印刷ジョブの送信前に、まずジョブ解析部によって印刷すべき印刷ジョブの属性を解析すると共に、通信部によりプリントスプーラから取得したポート情報に基づいてポート先の印刷装置の設定情報を取得して、ユーザインタフェース部により当該印刷ジョブを出力可能なポート先を表示部にリスト表示させる。
そして、ユーザがリスト表示されたポート先から希望するポート先を選択すると、通信部が印刷ジョブの属性に応じて選択されたポート先の印刷装置の設定変更を行なうと共に、当該印刷ジョブを上記印刷装置に対して送信する。
これにより、上記印刷装置は、当該印刷ジョブを所定の属性に応じて印刷出力する。
【０００９】
この場合、印刷出力の前に、ジョブ解析部により印刷すべき印刷ジョブの属性を解析すると共に、通信部によりポート先の各印刷装置の設定情報を取得することにより、当該印刷ジョブの属性に対応したポート先を判別して、ユーザインタフェース部により表示部にリスト表示する。
従って、ユーザは、印刷すべき印刷ジョブの属性に対応したポート先の印刷装置を印刷前に知ることができる。
そして、ユーザが希望するポート先を選択することによって、通信部が、当該印刷ジョブの属性に対応したポート先の印刷装置の設定変更を行なうと共に、当該印刷ジョブを上記印刷装置に送信するので、上記印刷装置は、当該印刷ジョブの属性に対応して印刷出力を行なうことができる。
このようにして、前もって各ポート先の印刷装置の設定情報を取得して、印刷すべき印刷ジョブの属性に対応したポート先の印刷装置に印刷ジョブを送信することによって、常に文字化けのない印刷出力を行なうことができる。
【００１０】
また、請求項２記載の印刷制御システムは、上記印刷ジョブを上記印刷装置に送信する前に、上記印刷装置と当該印刷ジョブのチケッティング処理を行なうジョブ管理部を設けた構成としてある。
印刷制御システムをこのような構成とすると、ジョブ管理部が、選択されたポート先の印刷装置と当該印刷ジョブのチケッティング処理を行なった後に、通信部が上記印刷装置の設定を変更して、印刷ジョブを送信するので、このチケッティング処理によって、上記印刷装置を占有して、排他的に印刷出力を行なわせることができる。
従って、上記印刷装置の設定変更を行なった後、当該印刷ジョブの印刷出力中に、他の印刷制御システムから印刷ジョブが上記印刷装置に送信されたとしても、他の印刷制御システムにより上記印刷装置の設定変更が行なわれてしまうことがなく、当該印刷ジョブの属性に対応した印刷出力が行なわれ得ることになる。
なお、チケッティング処理とは、印刷装置が認証ＩＤを発行している間、そのＩＤが付加されたデータしか処理しないこと。ＩＤ無しや他のＩＤが付加された印刷ジョブ、印刷を伴わないジョブ（ＰＪＬ：Ｐｒｉｎｔｅｒ  Ｊｏｂ  Ｌａｎｇｕａｇｅ）やＳＮＭＰのようなパケットによる設定変更を処理しないことをいう。
【００１１】
また、請求項３記載の印刷制御システムは、上記ジョブ解析部が、印刷ジョブの属性としてページ記述言語の解析を行なう構成としてある。
印刷制御システムをこのような構成とすると、印刷すべき印刷ジョブの属性としてのページ記述言語に対応したポート先の印刷装置を選択して、当該印刷ジョブを正しく印刷出力させることができる。
【００１２】
また、請求項４記載の印刷制御システムは、上記ユーザインタフェース部が、出力可能なポート先の印刷装置のリストを表示部に表示する構成としてある。
印刷制御システムをこのような構成とすると、ユーザは、表示部にリスト表示された印刷装置名を視認することによって、ポート先のみの場合よりも容易に印刷ジョブの印刷出力先を選択することができる。
【００１３】
また、請求項５記載の印刷制御システムは、上記ジョブ管理部が、上記印刷装置から認証ＩＤを受け取って、この認証ＩＤと共に印刷ジョブを上記印刷装置に送信する構成としてある。
印刷制御システムをこのような構成とすると、印刷装置は、チケッティング処理により認証ＩＤを印刷制御システムに対して付与することにより、印刷制御システムからこの認証ＩＤと共に送信されてくる印刷ジョブを、排他的にそして確実に印刷出力することができる。
【００１４】
また、請求項６記載の印刷制御システムは、上記通信部が、印刷装置による当該印刷ジョブの印刷出力完了後に、上記印刷装置の設定を変更前の状態に戻す構成としてある。
印刷制御システムをこのような構成とすると、印刷出力完了後に、印刷装置の設定が変更前の状態に戻されることによって、次のこの印刷装置を使用して印刷出力を行なう場合に、当該印刷ジョブの印刷出力の際の上記印刷装置の設定変更による影響を受けることがない。
【００１５】
また、この目的を達成するため、本発明の請求項７記載の印刷制御プログラムは、印刷すべき印刷ジョブをポート先の印刷装置に送信して、印刷装置に印刷出力を行なわせる処理をコンピュータに実装させる印刷制御プログラムにおいて、印刷すべき印刷ジョブの属性の解析を行ない、プリントスプーラからポート情報を取得して、このポート情報に基づいてポート先の印刷装置の設定情報を取得し、上記印刷ジョブの属性に応じて、上記印刷装置の設定変更を行なうと共に、上記ポート情報のうち、当該印刷ジョブを出力可能なポート先を表示部に表示する構成としてある。
本発明は、このようにプログラムとしても実現化することができる。
【発明の効果】
【００１６】
このように、本発明によれば、印刷出力の前に、ジョブ解析部により印刷すべき印刷ジョブの属性を解析すると共に、通信部によりポート先の各印刷装置の設定情報を取得することにより、当該印刷ジョブの属性に対応したポート先を判別して、ユーザインタフェース部により表示部にリスト表示する。
従って、ユーザは、印刷すべき印刷ジョブの属性に対応したポート先の印刷装置を印刷前に知ることができるので、ユーザが希望するポート先を選択することによって、通信部が、選択されたポート先の印刷装置の設定変更を行なって、当該印刷ジョブを送信する。
このようにして、前もって各ポート先の印刷装置の設定情報を取得して、印刷すべき印刷ジョブの属性に対応したポート先の印刷装置に印刷ジョブを送信することによって、常に文字化けのない印刷出力を行なうことができるので、文字化けによる印刷用紙の無駄を排除することができる。
【発明を実施するための最良の形態】
【００１７】
以下、本発明の印刷制御システムの第一の実施形態について、図１〜図２を参照して説明する。
図１は、本発明による印刷制御システムの一実施形態の構成を示している。
図１に示すように、印刷制御システム１０は、ユーティリティ１００と、プリントスプーラ２００と、印刷装置３００と、から構成されている。
尚、印刷装置３００は、図示の場合一つのみが示されているが、これに限らず、複数個の印刷装置３００が設けられていてもよい。
【００１８】
上記ユーティリティ１００は、パーソナルコンピュータ等の情報処理装置で動作するプログラムにより各機能が実現されるようになっている。記録媒体としては、例えば磁気ディスク，半導体メモリ，その他の任意のコンピュータで読み取り可能なものを使用することができる。また、記録媒体に記録されたプログラムは、記録媒体を直接コンピュータに装着して当該コンピュータに読み込ませてもよく、また通信回線を介してコンピュータに読み込ませてもよい。
【００１９】
ここで、上記ユーティリティ１００は、ジョブ解析部１１０，通信部１２０，ユーザインタフェース部１３０，ジョブ管理部１４０と、これらを制御する主制御部１５と、から構成されている。
【００２０】
上記ジョブ解析部１１０は、印刷すべき印刷ジョブ１０１の属性、例えばページ記述言語の解析を行なって、解析結果１１１をユーザインタフェース部１３０に出力するようになっている。
【００２１】
上記通信部１２０は、プリントスプーラ２００からポート情報２０１を取得して、このポート情報２０１に基づいて、ポート先の印刷装置３００の設定情報３０１を取得して、ユーザインタフェース部１３０に出力するようになっている。
また、上記通信部１２０は、上記印刷ジョブ１０１のページ記述言語に応じて、上記印刷装置３００の設定変更を行なうと共に、上記印刷ジョブ１０１を後述する認証ＩＤ３０２と共に、この印刷装置３００に対して送信するようになっている。
さらに、上記通信部１２０は、上記印刷ジョブ１０１の印刷出力終了後に、上記認証ＩＤ３０２を利用して、上記印刷装置３００の設定を変更前の状態に戻すようになっている。
【００２２】
上記ユーザインタフェース部１３０は、ユーティリティ１００の起動時に、印刷ジョブのリストを表示部（図示せず）に表示すると共に、ジョブ解析部１１０からの解析情報１１１に基づいて、通信部１２０から送られてきた各印刷装置３００の設定情報３０１を参照して、当該印刷ジョブ１０１を出力可能なポート先、即ち当該印刷ジョブ１０１のページ記述言語に対応した印刷装置３００が接続されたポート先を選別して、情報処理装置の上記表示部の画面上にリスト表示する。
この場合、具体的にはポート先として、印刷装置のポート名またはプリンタドライバ名が表示されることになる。
【００２３】
上記ジョブ管理部１４０は、通信部１２０が印刷ジョブ１０１を印刷装置３００に送信する前に、即ちユーザ４００がユーザインタフェース部１３０にてリスト表示されたポート先から希望するポート先を選択した後に、選択されたポート先の印刷装置３００との間でチケッティング処理を行なう。
具体的には、上記ジョブ管理部１４０は、印刷装置３００に対して認証ＩＤ要求１４１を送信することにより、認証ＩＤ３０２を取得して、この認証ＩＤ３０２を通信部１２０に出力する。
【００２４】
上記主制御部１５０は、上記印刷ジョブ１０１の印刷処理、即ち印刷ジョブ１０１をプリントスプーラ２００を介して印刷装置３００に送信すると共に、上述したジョブ解析部１１０，通信部１２０，ユーザインタフェース部１３０，ジョブ管理部１４０を制御し、各部１１０〜１４０間そしてプリントスプーラ２００，印刷装置３００との間で、実際に各種情報の転送を行なうようになっている。
さらに、上記主制御部１５０は、印刷ジョブ１０１の印刷出力終了後に、ジョブ管理部１４０により、印刷装置３００により付与された認証ＩＤ３０２を無効化すると共に、ユーザインタフェース部１３０に出力完了通知を表示し、ユーザが終了を選択したとき、各部１１０〜１４０にて当該印刷ジョブ１０１の印刷処理に関する各種情報を破棄させるようになっている。
【００２５】
また、上記プリントスプーラ２００は、パーソナルコンピュータ等の情報処理装置で動作する例えばプリンタドライバ等のプログラムにより機能するようになっている。
さらに、上記プリントスプーラ２００は、ポート情報２１０を通信部１３０に送信すると共に、通信部１３０から送信されてくる印刷ジョブ１０１を選択されたポート先の印刷装置３００に対して転送するようになっている。
【００２６】
上記印刷装置３００は、ユーティリティ１００から送信されてくる印刷ジョブ１０１を指定されたページ記述言語に従って印刷出力するようになっている。
その際、上記印刷装置３００は、印刷ジョブ１０１を受信する前に、ユーティリティ１００のジョブ管理部１４０からの認証ＩＤ要求１４１を受けて、認証ＩＤ３０２を上記ジョブ管理部１４０に対して送信する。
これにより、上記印刷装置３００は、上記認証ＩＤ３０２に基づいて、上記ユーティリティ１００に占有されることになり、認証ＩＤのない印刷ジョブや他の認証ＩＤが付された印刷ジョブを受信拒否するようになっている。
そして、上記印刷装置３００は、ユーティリティ１００の通信部１３０により設定変更された後、認証ＩＤ３０２及び印刷ジョブ１０１が入力されたとき、当該印刷ジョブ１０１の印刷出力を行なう。
【００２７】
次に、本実施形態の印刷制御システム１０の動作について、図２を参照して説明する。
図２は、印刷制御システム１０の動作の流れを示すフローチャートである。
図２において、まず符号Ａ１で示すように、ユーザ４００がユーティリティ１００を起動すると、符号Ａ２で示すように、主制御部１５０がユーザインタフェース部１３０により、印刷ジョブのリストを表示部（図示せず）に表示する。
ここで、符号Ａ３で示すように、ユーザ４００が表示部に表示された印刷ジョブのリストから、印刷すべき印刷ジョブ１０１を選択すると、主制御部１５０が、符号Ａ４で示すように、プリントスプーラ２００からポート情報２０１を取得する。
【００２８】
そして、符号Ａ５で示すように、主制御部１５０がジョブ解析部１１０に解析要求１５１を送出して、ジョブ解析部１１０に当該印刷ジョブ１０１のページ記述言語の解析を行なわせて、解析結果１１１を受け取る。
続いて、主制御部１５０は、符号Ａ６で示すように、通信部１２０により、プリントスプーラ２００を介して、符号Ａ７で示すように、ポート先の印刷装置３００の設定情報３０１を取得して、符号Ａ８で示すように、ユーザインタフェース部１３０により、上記解析結果１１１を参照して、ポート情報のうち、当該印刷ジョブ１０１を出力可能なポート先、即ちポート名またはプリンタドライバ名のリストを表示部（図示せず）に表示する。
【００２９】
そして、符号Ａ９で示すように、ユーザ４００が表示部に表示されたポート先のリストから、所望のポート先、即ちポート名またはプリンタドライバ名を選択すると、主制御部１５０は、符号Ａ１０で示すように、認証要求１５２をジョブ管理部１４０に送出して、符号Ａ１１で示すように、ジョブ管理部１４０により認証ＩＤ要求１４１を通信部１２０を介して印刷装置３００に送信して、符号Ａ１２で示すように、この印刷装置３００から発行された認証ＩＤ３０２を取得する。
【００３０】
ここで、上記印刷装置は、認証ＩＤ３０２を発行した時点から、後述する認証ＩＤ３０２の無効化までの間、他の認証ＩＤが付された印刷ジョブや認証ＩＤのない印刷ジョブを受信拒否する。
これにより、当該印刷ジョブ１０１の印刷中に、他の印刷制御システムからの印刷ジョブの印刷出力要求に基づいて、上記印刷装置３００の設定が変更されるようなことがない。
【００３１】
そして、主制御部１５０は、符号Ａ１３で示すように、設定変更要求１５３を通信部１２０に送出し、通信部１２０は、符号Ａ１４で示すように、印刷装置３００の設定を当該印刷ジョブ１０１のページ記述言語に対応して変更する。
例えば、当該印刷ジョブ１０１が純粋なＰＣＬ（プリンタコントロール言語）で構成されており、他方ユーザ４００が選択したポート先の印刷装置３００のエミュレーションがＰＳ（ポストスクリプト）であるような場合、通信部１２０は、当該印刷ジョブ１０１のページ記述言語即ちＰＣＬに対応して、上記印刷装置３００のエミュレーションの設定をＰＳからＰＣＬに変更する。
【００３２】
次に、主制御部１５０は、符号Ａ１５で示すように、ジョブ出力要求１５４をジョブ管理部１４０に送出する。
そして、ジョブ管理部１４０は、符号Ａ１６で示すように、当該印刷ジョブ１０１に対して上記認証ＩＤ３０２を付加して、符号Ａ１７で示すように、印刷ジョブ１０１及び上記認証ＩＤ３０２をプリントスプーラ２００に送信し、プリントスプーラ２００は、符号Ａ１８で示すように、これらを印刷装置３００に送信する。これにより、印刷装置３００は、符号Ａ１９で示すように、上記印刷ジョブ１０１の印刷出力を行なう。
【００３３】
そして、上記ジョブ管理部１４０は、符号Ａ２０で示すように、通信部１２０を介して印刷装置３００のジョブステータスを取得し、印刷装置３００のジョブステータスが印刷完了となったら、符号Ａ２１で示すように、出力完了通知１４２を主制御部１５０に送出する。
これを受けて、主制御部１５０は、符号Ａ２２で示すように、変更前の設定状態（所謂デフォルト設定）に設定を戻すための設定変更要求１５３を通信部１２０に送出し、これにより通信部１２０は、符号Ａ２３で示すように、認証ＩＤ３０２を利用して、印刷装置３００の設定を変更前の状態に戻す。
これにより、印刷装置３００は、当該印刷ジョブ１０１の印刷出力後に、デフォルト設定に戻されるので、その後に上記印刷装置３００による印刷ジョブの印刷出力の際に、当該印刷ジョブ１０１の属性（ページ記述言語）に対応した設定変更によって影響されることがない。
【００３４】
その後、主制御部１５０は、符号Ａ２４で示すように、ジョブ管理終了の通知１５５をジョブ管理部１４０に送出し、ジョブ管理部１４０は、符号Ａ２５で示すように、通信部１２０に対して認証終了処理を行なって、通信部１２０は、符号Ａ２６で示すように、印刷装置３００に対して、上記認証ＩＤ３０２の無効化を行なう。
次に、主制御部１５０は、符号Ａ２７で示すように、ユーザインタフェース部１３０により、ユーザ４００に対して出力完了１５６を画面表示等により通知する。
そして、符号Ａ２８で示すように、ユーザ４００が終了を選択すると、主制御部１５０は、符号Ａ２９で示すように、ジョブ解析部１１０，通信部１２０，ユーザインタフェース部１３０及びジョブ管理部１４０の当該印刷ジョブ１０１の印刷出力に関する各種情報を破棄させる。
以上で、印刷制御システム１０による印刷ジョブの印刷出力処理が完了する。
【産業上の利用可能性】
【００３５】
上述した実施形態においては、印刷ジョブ１０１の属性として、ページ記述言語の場合について説明したが、これに限らず、他の印刷出力を制御するための属性であってもよいことは明らかである。
また、上述した実施形態においては、印刷ジョブ１０１の印刷出力の場合について説明したが、印刷ジョブ１０１として、印刷ファイルを含んでいることは明らかである。
【図面の簡単な説明】
【００３６】
【図１】本発明による印刷制御システムの一実施形態の構成を示すブロック図である。
【図２】図１の印刷制御システムの動作を示すフローチャートである。
【符号の説明】
【００３７】
１０    印刷制御システム
１００  ユーティリティ
１０１  印刷ジョブ
１１０  ジョブ解析部
１１１  解析結果
１２０  通信部
１３０  ユーザインタフェース部
１４０  ジョブ管理部
１４１  認証ＩＤ要求
１５０  主制御部
１５１  解析要求
１５２  認証要求
１５３  設定変更要求
１５４  ジョブ出力要求
１５５  ジョブ管理終了通知
１５６  出力完了
２００  プリントスプーラ
２０１  ポート情報
３００  印刷装置
３０１  設定情報
３０２  認証ＩＤ
４００  ユーザ
【図１】
2006119764.tif 000003
【図２】
2006119764.tif 000004